【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
携帯型情報処理装置に装着するハンドストラップであって、
前記ハンドストラップは、
ベルト部と、
前記携帯型情報処理装置の載置面に接して滑りを防止する突出部と前記ベルト部の端が保持された保持部およびその携帯型情報処理装置の底面に接する平坦部からなる脚ゴム部と、
前記ベルト部が通され、該ベルト部と前記携帯型情報処理装置に固定された固定部とを連結する金具と、
を備え、
前記ベルト部が保持された脚ゴム部を移動させることにより、当該ベルト部の長さを調節可能にしたことを特徴とする情報処理装置のハンドストラップ。
【手続補正２】
【補正対象書類名】明細書
【補正対象項目名】全文
【補正方法】変更
【補正の内容】
【発明の詳細な説明】
【発明の名称】情報処理装置のハンドストラップ
【技術分野】
【０００１】
本発明は、ノートパソコンのような携帯型情報処理装置（以下、総称してノートパソコンという）の携帯性を向上するハンドストラップ（吊りひも、ベルト、以下総称してハンドストラップという）の構造に関するものである。
【背景技術】
【０００２】
近年、パーソナルコンピュータでもノートパソコンのような携帯性にすぐれた情報機器が一般的である。また携帯性を向上するためにハンドストラップを装着したものも少なくない。
【０００３】
以下に従来のハンドストラップを装着したノートパソコンについて説明する。
【０００４】
図３は従来のハンドストラップを装着したノートパソコンを示す図である。図３（ａ）において、１７はノートパソコン本体である。携帯性を向上するためハンドストラップ１１をノートパソコン本体１７に装着している。１３は脚ゴムであり、机などの平坦部分に載置したときにノートパソコン本体１７がすべらないように４箇所に付加している。また図３（ｂ）では図のように左手のひらをハンドストラップ１１に通してノートパソコン本体１７を保持して右手でノートパソコンの操作をすることができる。
【０００５】
図４は別の従来のハンドストラップを装着したノートパソコンを示す図である。図４（ａ）において、２３はハンドストラップ２１をノートパソコン本体に装着、固定する部分と脚ゴムを兼用したものである。この場合、ハンドストラップと脚ゴムを一体成形しているためゴムやエラストマーのように伸縮性があり、かつ滑りにくい材質が好適である。
【０００６】
図４（ｂ）ではハンドストラップのベルト部３２の材質は縫製した布状のものからなり、パッド部３４で覆われているため、図示されていないが、ベルト部３２の一部にマジックテープ（登録商標）が付加してあり、この部分で長さを調節できるように構成したものであり、脚ゴム３３はハンドストラップ３１をノートパソコン本体に固定する部分付近に配置している。
また、特許文献１には、装置の底面に操作者の一部に固定するためのベルト状固定具を着脱可能にした携帯型の情報端末装置が記載されている。
【特許文献１】特開平１１ー２８２５７０号公報
【発明の開示】
【発明が解決しようとする課題】
【０００７】
しかしながら上記の従来の構成では、以下に述べるような問題点を有している。
【０００８】
図４（ａ）に示すようなハンドストラップと脚ゴムを一体成形し、ゴムやエラストマーのような伸縮性があり、かつ滑りにくい材質を採用したハンドストラップの構成では、その伸縮性に自ずと限界があり、無理に伸ばした場合や材料の劣化でハンドストラップ自身が切れる場合がある。
【０００９】
また図４（ｂ）に示すように、ハンドストラップと脚ゴムを分離し、ハンドストラップに縫製した布状の材質を採用し、ベルト部の長さを調節できるようにした構成では、脚ゴム３３の突出量がパッド部３４より少ないと本来の脚ゴムの機能である滑り防止機能が働かない場合がある。
【００１０】
本発明は上記従来の問題点を解決するもので、ハンドストラップを装着したノートパソコンにおいて、ベルトに脚ゴム部を移動可能に連結することでノートパソコンの本体底面の最も突出した部分に脚ゴムを配置することが可能となり、これにより本来の脚ゴムの機能である滑り防止機能が正しく働き、かつ、脚ゴム部の移動でハンドストラップの長さ調節を可能にしたものである。
【課題を解決するための手段】
【００１１】
本発明のハンドストラップは、ベルト部と、携帯型情報処理装置の載置面に接して滑りを防止する突出部と前記ベルト部の端が保持された保持部およびその携帯型情報処理装置の底面に接する平坦部からなる脚ゴム部と、前記ベルト部が通され、該ベルト部と前記携帯型情報処理装置に固定された固定部とを連結する金具とを備え、前記ベルト部が保持された脚ゴム部を移動させることにより、当該ベルト部の長さを調節可能にしたものであり、情報処理装置の本体底面の最も突出した部分に脚ゴムを配置することが可能となる。
【００１２】
また、本発明によれば、脚ゴム部の移動でハンドストラップの長さ調節が可能である。
【発明の効果】
【００１３】
以上のように本発明によれば、ハンドストラップを装着した携帯型情報処理装置において、ベルト部の端を脚ゴム部に連結し、脚ゴム部を移動可能にすることにより、携帯型情報処理装置の本体底面の最も突出した部分に脚ゴムを配置することが可能となり、また、脚ゴム部の移動でハンドストラップの長さ調節が可能となる。
【発明を実施するための最良の形態】
【００１４】
以下、本発明の実施の形態について、図１から図２を用いて説明する。
【００１５】
（実施の形態１）
図１は本発明のノートパソコンに装着するハンドストラップの構成図である。
【００１６】
図１において、１はノートパソコンの底面７に装着するハンドストラップ、２はハンドストラップ１のベルト部で縫製した布状材質のものが好適である。
３は脚ゴム部で、突出部３−ａとベルト部２の端が保持される保持部３−ｂからなる。４は手のひらをノートパソコンの底面７とストラップ１の間に挿入するときに手の甲に当たるパッド部であり、ノートパソコンを持ち運ぶ場合にはこの部分を手で握って携帯してもよいし、この部分にブランドのロゴマークを印刷してもよい。５はハンドストラップ１をノートパソコン底部７に固定する固定部、６は固定部５とベルト部２を連結する金具である。
【００１７】
図２は本発明のノートパソコンに装着するハンドストラップの断面図である。
【００１８】
以上のように構成されたハンドストラップについて詳細を説明する。
【００１９】
図２のようにベルト部２の端が連結金具６に通されて脚ゴム部３に固着されており、脚ゴム部３を図の矢印方向に移動することでハンドストラップ１全体の長さを調節できるようになっている。ハンドストラップ１はノートパソコンを机などの平坦部に載置して使用するときは図１のように最も短くして使用する。この時脚ゴム部３の突出部３−ａはパッド部４よりも突出するのでノートパソコンを平坦部に載置したときには突出部３−ａは本来の脚ゴムの機能である滑り防止機能として働く。
【００２０】
また、ノートパソコン本体の底面１には脚ゴム部３の平坦部３−ｃ面が接してノートパソコン全体を支え、脚ゴム部３はその材質の特性で平坦部３−ｃ面とノートパソコン底面７とが滑らないようにする。平坦部３−ｃ面をより滑りにくくするために摩擦係数を高くするような面に加工することが好ましい。その一部を図１の平坦部３−ｃまたは図２点線円内に図示するが、脚ゴム部３とノートパソコン底部７との接触面全体に滑りにくくする面加工をするのがより好ましい。
【００２１】
以上のように本実施の形態によれば、ハンドストラップを装着したノートパソコンにおいて、ハンドストラップと脚ゴム部を連結して脚ゴム部を移動可能にすることでノートパソコンの本体底面の最も突出した部分に脚ゴム部を配置することが可能となり、また、ハンドストラップの長さ調節機能をもたせることも可能となる。
【００２２】
なお、図１に示すように、２つある脚ゴム部３のうち一方（左）のみでハンドストラップ１全体の長さを調節できるように示したが、２つある脚ゴム部３の両方にこのような長さ調節機能を持たせるようにしても良いことは言うまでもない。この場合、２つある脚ゴム部３の両方にハンドストラップ１の長さ調節機能を持たせることで長さ調節の範囲がより拡がる利点がある。
【００２３】
また、ハンドストラップの長さ調節機能を、例えば従来の技術でも説明したようにパッド部４で覆われた部分のベルト部２の一部にマジックテープ（登録商標）を付加してハンドストラップの長さを調節できるように構成すれば、脚ゴム部３はよりハンドストラップの長さに関係なく移動可能なので、脚ゴム部３を最適な位置に配置することができる。
【産業上の利用可能性】
【００２４】
本発明にかかる情報処理装置のハンドストラップは、情報処理装置の本体底面の最も突出した部分に脚ゴムを配置することが可能となり、またハンドストラップの長さ調節も可能であるため、ノートパソコンのような携帯型情報処理装置の携帯性を向上するハンドストラップとして有用である。
【図面の簡単な説明】
【００２５】
【図１】本発明のノートパソコンに装着するハンドストラップの構成図
【図２】本発明のノートパソコンに装着するハンドストラップの断面図
【図３】従来のハンドストラップを装着したノートパソコンを示す図
【図４】従来のハンドストラップを装着したノートパソコンを示す図
【符号の説明】
【００２６】
１  ハンドストラップ
２  ベルト部
３  脚ゴム部
４  パッド部
５  固定部
６  金具
７  ノートパソコン底部